(57)【要約】【課題】眼の水晶体の被ばく軽減のために着用する新規な放射線防護具を提供する。【解決手段】放射線遮へい性能を備えた放射線防護具１であって、身体の首部に装着して固定するための首固定部３と、着用時において、首固定部３から部分的に上方に張り出すように首固定部３に設けられた、眼の水晶体防護部５とを備える。首固定部３の下側に、着用時において甲状腺の部位を覆う甲状腺防護部８を備えることができる。【選択図】図４
0003226435.tif 000002
【実用新案登録請求の範囲】
【請求項１】
放射線遮へい性能を備えた放射線防護具であって、
身体の首部に装着して固定するための首固定部と、
着用時において、前記首固定部から部分的に上方に張り出すように前記首固定部に設けられた、眼の水晶体防護部とを備えた、
放射線防護具。
【請求項２】
前記首固定部の下側に、着用時において甲状腺の部位を覆う甲状腺防護部を備えた、請求項１に記載の放射線防護具。
【請求項３】
前記眼の水晶体防護部の全部又は一部は、透明性素材で構成されている、請求項１又は２に記載の放射線防護具。
【考案の詳細な説明】
【技術分野】
【０００１】
本考案は、放射線防護具、詳しくは、医師等が眼の水晶体の被ばく軽減のために着用する放射線防護具に関する。
【背景技術】
【０００２】
診療放射線従事者は、放射線被ばくによる身体への健康被害を避けるため、高い遮へい性を有する鉛等を含有した塩化ビニル樹脂等の放射線遮へいシートを用いて製作された放射線防護衣を着用して作業を行っている。
医療用の放射線防護衣としては、従来、コート型とエプロン型のものが知られている。また、甲状腺を保護するネックガードが知られている。
【０００３】
ところで、眼の水晶体の被ばく限度に関し、国際放射線防護委員会（ＩＣＲＰ）の勧告を受けて、放射線審議会、さらには厚生労働省「眼の水晶体の被ばく限度の見直し等に関する検討会」で眼の水晶体の被ばく限度の見直しが検討されている。
「眼の水晶体の被ばく限度の見直し等に関する検討会報告書」では、「一般医療における労働者の被ばくは、主として被写体からの散乱線によるＸ線主体の被ばくである。このため、他の放射線防護措置と併せて高い鉛当量の防護眼鏡等を使用する等の放射線防護措置を講ずること、医療被ばくを最適化することで職業被ばくを低減すること等により、さらなる水晶体の被ばく低減を期待できる」と指摘されている。
また、被写体からの散乱線は作業台から約５０ｃｍの高さで最大で、眼の近傍と頭頸部で測定した等価線量は同程度であり、防護眼鏡の使用ではおよそ６０％、防護板の使用ではおよそ４０％の被ばく低減が期待できる点、指摘されている。また、「国は、放射線防護眼鏡等の放射線防護機材による防護能力の強化などのための開発を推進し、水晶体への被ばく線量が高い業務を行う事業者が、放射線防護設備の設置や改善による被ばく低減措置を講ずるための支援を行うことが望ましい。」としている。
【０００４】
特許文献１には、医療従事者が使用する医療用保護眼鏡が記載されている。また、特許文献２には、施術者の放射線被曝を軽減するために用いられる放射線防護用衝立が記載されている。
しかしながら、X線による透視をしながら手技を行うＩＶＲと呼ばれる分野などの医療現場において、防護眼鏡については、重量が重いこと等もありその着用に慣れず負担を感じる診療従事者などもおり、また、防護板については、設置スペース等の問題などもあり使い勝手が必ずしも良いとは言えないといった問題があった。
【先行技術文献】
【特許文献】
【０００５】
【特許文献１】特開２０１９−４２４８０号公報
【特許文献２】特開２０１６−８８４９号公報
【考案の概要】
【考案が解決しようとする課題】
【０００６】
本考案は、前記背景技術に鑑み考案されたもので、眼の水晶体の被ばく軽減のために着用する新規な放射線防護具を提供することを課題とする。
【課題を解決するための手段】
【０００７】
（１）放射線遮へい性能を備えた放射線防護具であって、
身体の首部に装着して固定するための首固定部と、
着用時において、前記首固定部から部分的に上方に張り出すように前記首固定部に設けられた、眼の水晶体防護部とを備えた、
放射線防護具である。
（２）前記首固定部の下側に、着用時において甲状腺の部位を覆う甲状腺防護部を備えたものである。
（３）前記眼の水晶体防護部の全部又は一部は、透明性素材で構成されているものである。
【考案の効果】
【０００８】
（１）身体の首部に装着して固定するための首固定部を、首部に装着することによって、使用され、眼鏡のように顔に直に触れたり眼を覆うことがないので、使用者への負担が少なく使用しやすい。
着用時において、首固定部から部分的に上方に張り出すように首固定部に設けられた、眼の水晶体防護部によって、被写体からの散乱線が眼の水晶体へ当たるのが防護され、被ばくが軽減される（通常、術者が医療手技を施す場合、下方の被写体から散乱線が当たる。）。眼の水晶体防護部は、首固定部から部分的に上方に張り出すように設けられているので、術者の手技の際の視界は確保され、障害となることはない。
手技を施す対象に対して、ガラス等を通さずに、直接に視認できるため、歪みほかの違和感がなく見やすく手技も的確に行われる。
風防のように顔の大半を覆うシールドを設けるものではないため、装着者の声が反響したり、他者の声が聞き取りにくいといった問題がない。
首固定部を首部に巻き付けて固定するため、固定も安定しておりホールド感が良い。
（２）首固定部の下側に、着用時において甲状腺の部位を覆う甲状腺防護部を備えたものとすることにより、眼の水晶体の防護とともに、甲状腺の防護も同時に行うことができる。
（３）眼の水晶体防護部の全部又は一部は、透明性素材で構成されているものとすることにより、眼の水晶体防護部自体による視界の遮りが無くなる又は軽減される。
【図面の簡単な説明】
【０００９】
【図１】放射線防護具１の展開状態を示す正面図である。
【図２】放射線防護具１の着用時における斜視図である。
【図３】放射線防護具１の使用状態を示す斜視図である。
【図４】放射線防護具１の使用状態を示す斜視図である。
【図５】放射線防護具１の使用状態を示す斜視図である。
【考案を実施するための形態】
【００１０】
放射線防護具を、身体の首部に装着して固定するための首固定部と、着用時において、前記首固定部から部分的に上方に張り出すように前記首固定部に設けられた、眼の水晶体防護部とを備えた構成とした。
【実施例】
【００１１】
図１は放射線防護具１を展開状態で示した正面図であり、図２は放射線防護具１を着用する際における斜視図である。
図１，２に示す放射線防護具１は、放射線遮へい性能を備えたシート状物で形成されており、具体的には、所定の放射線遮へい性能を有する、鉛等を含有した塩化ビニル樹脂等の放射線遮へい層（シート）内部に備えてなる。例えば、該放射線遮へい層を中間層に有するとともに、該中間層を保護する最内層及び最外層（塩化ビニル樹脂等のシート材）、さらには必要に応じて、前記最内層の内側など前記中間層に隣接させて芯材を有して形成される（図示省略）。放射線防護具１の縁部７は合成樹脂シート等の適宜素材を用いた縁取りテープによって、縫着等の手段で、補強を兼ねた縁取り処理がなされている。
【００１２】
放射線防護具１は、身体の首部に装着して固定するための首固定部３と、着用時において、首固定部３から部分的に上方（身体前後方向における前側への斜め上方）に張り出すように首固定部３に設けられた、眼の水晶体防護部５とを備えている。図示のものは、首固定部３と眼の水晶体防護部５とは、一体的に（連続するシート状物で）形成されており、首固定部３と眼の水晶体防護部５との境を、便宜上、破線で示している。上記放射線防護具１は、丸めることのできる可撓性を有する。
放射線防護具１は、その展開状態において、湾曲して弓なり状を呈する首固定部３と、首固定部３の弓なり状が膨らむ側へ、該首固定部３のほぼ中央部から部分的に突出して山状に形成された眼の水晶体防護部５とを備えて構成されている。山状の眼の水晶体防護部５は、少なくとも着用時において着用者の正面及び下方の視界が遮られることなく確保される形状をなす。図示のものは、眼の水晶体防護部５は、医療手技を施す場合において、やや左下側から散乱線が当たる場合を想定し、やや右側へ傾いた山状となっている。
散乱線が当たる方向は、施す手技の内容によって異なるが、いずれにしても術者から見て下方となる。医療手技を施す場合において、やや右下側から散乱線が当たる場合を想定し、やや左側へ傾いた山状としてもよい。また、表裏の区別なくリバーシブル仕様とすることも可能である。あるいは、左右対称な山形とし、左右兼用の形状とすることもできる。
首固定部３の端部には、首固定部３を、身体の首部に巻き付けた状態を保持するための、面ファスナー等の保持部４が設けられている。
【００１３】
図１の状態の放射線防護具１は、図２のように首固定部３の端部同士が合わされるよう丸めることにより、首固定部３を身体の首部に巻き付けて使用される。図３は、放射線防護具１の使用状態を示すものである。図３（ａ）は身体の正面側から見た使用状態であり、図３（ｂ）は身体のやや左側から見た使用状態を示す。眼の水晶体防護部５の水平方向における位置は、放射線防護具１を装着する際、首固定部３を首に対して回すことにより調整可能である。
眼の水晶体防護部５は、少なくとも着用時において着用者の正面及び下方の視界が遮られることなく確保されるように、着用者を基準として左右いずれか一方にずれた位置で首固定部３から部分的に山状に張り出す。
着用時において、首固定部３から部分的に上方に張り出すように首固定部３に設けられた、眼の水晶体防護部５によって、被写体からの散乱線が眼の水晶体へ当たるのが防護され、被ばくが軽減される（通常、術者が医療手技を施す場合、下方の被写体から散乱線が当たる。図示の例は、医療手技を施す場合において、やや左下側から散乱線が当たる場合を想定している。）。また、眼の水晶体防護部５は、首固定部３から部分的に上方（身体前後方向における前側への斜め上方）に張り出すように設けられているので、術者の手技の際の手先ほかの正面の視界は確保され、障害となることはない。
手技を施す対象に対して、ガラス等を通さずに、直接に視認できるため、歪みほかの違和感がなく見やすく手技も的確に行われる。
風防のように顔の大半を覆うシールドを設けるものではないため、装着者の声が反響したり、他者の声が聞き取りにくいといった問題がない。
首固定部を首部に巻き付けて固定するため、固定も安定しておりホールド感が良い。
【００１４】
図４に示す放射線防護具１は、首固定部３の下側に、着用時において甲状腺の部位を覆う甲状腺防護部８を連設させて備えたものである。甲状腺防護部８は、首固定部３からよだれ掛け状に身体の前側に垂れるように設けられている。
甲状腺防護部８は、首固定部３と一体的に（分離不能に）設けることのほか、首固定部３に対し分離可能（着脱可能）に設けることもできる。後者の場合、首固定部３と甲状腺防護部８との接続は、面ファスナー、ホック、ボタンによる固定、その他ジョイント等の適宜連結手段を採用することができる。
【００１５】
図５に示す放射線防護具１は、眼の水晶体防護部５を透明性素材で構成したものである。透明性素材としては、含鉛アクリル樹脂や鉛ガラスを主体としたものを使用することができる。これにより眼の水晶体防護部５自体による視界の遮りが無くなる又は軽減される。眼の水晶体防護部５の全部又は一部を透明性素材で構成することができる。製造は、例えば、立体的に形成された透明性素材による眼の水晶体防護部５に、シート状物からなる首固定部３を適宜手段で接合することにより、放射線防護具１を得ることができる。
上記放射線防護具１は、図４に示し説明したのと同様に、首固定部３の下側に、着用時において甲状腺の部位を覆う甲状腺防護部を備えたものとすることができる。
【００１６】
以上、実施例を挙げて実施の形態を説明したが、本考案は上記した実施例に限定されるものではなく、本考案の要旨の範囲で適宜、付加、変形等なし得るものである。
【符号の説明】
【００１７】
１  放射線防護具
３  首固定部
４  保持部
５  眼の水晶体防護部
７  縁部
８  甲状腺防護部
【図１】
0003226435.tif 000003
【図２】
0003226435.tif 000004
【図３】
0003226435.tif 000005
【図４】
0003226435.tif 000006
【図５】
0003226435.tif 000007